(57)【特許請求の範囲】
【請求項１】
軸方向に連続する複数の色彩の色材の層を備え、
各色材の層は表面に露出させ、
前記複数の色材は明度の異なるものとし、
前記各色材は、断面形状において直線をなす面とＲをなす面とを備え、
複数の色材の直線をなす面同士が当接し、Ｒをなす面が表面に露出し、
明度の最も高い色材と明度の最も低い色材とのＲをなす表面への露出部分の断面における曲率が異なるものとし、
複数の色彩を描き分けることができるようにした、
眉描き用芯材。
【請求項２】
各色材における表面への露出部分のＲをなす断面における曲率は、明度の最も高い色材は明度の最も低い色材よりも小曲率とした、
請求項１に記載の眉描き用芯材。
【請求項３】
各芯材における断面積は、明度の最も高い色材は明度の最も低い色材よりも大きくした、
請求項１又は２に記載の眉描き用芯材。
【請求項４】
複数の色材は、硬度が異なるものとした、
請求項１ないし３の何れかに記載の眉描き用芯材。
【発明の詳細な説明】
【技術分野】
【０００１】
この発明は、眉を描くペンシル型の眉描き用化粧具に使用する芯材に関するものである。
【背景技術】
【０００２】
特許文献１には、色材により眉を描くペンシル型のアイブロウペンシルが開示されており、本体を回転させることで繰り出される芯材を用いて、眉に化粧材を塗布し、眉を描くものである。
【先行技術文献】
【特許文献】
【０００３】
【特許文献１】特開平１０−１７９２５２号公報
【発明の概要】
【発明が解決しようとする課題】
【０００４】
化粧具を用いて眉を描く際に、図４に示す眉毛Ａの眉間側の太い眉元Ａｆと反対側の細い眉尻Ａｅとで、色の濃淡を設けた方が見栄えが良くなる。この場合に、眉元Ａｆは明るい色の色材を塗り、眉尻Ａｅは濃い色線で描くように、色材を塗ることが好ましい。
このように眉に対して化粧する場合には、使用目的や使用個所によって、色や芯の太さが異なる複数のアイブロウペンシルを用意する必要があり、化粧時にも持ち換え等が面倒である。
【０００５】
この発明は、１本のアイブロウペンシルで複数の色彩を描き分けることを可能にすることを課題とするものである。
【課題を解決するための手段】
【０００６】
この発明の眉描き用芯材は、軸方向に連続する複数の色材の層を備え、各色材の層は表面に露出させ、前記複数の色材は明度の異なるものとし、最も明度の高い色材と最も明度の低い色材との表面への露出部分の断面における曲率が異なるものとして構成する。前記各色材は、断面形状において直線をなす面とＲをなす面とを備え、複数の色材の直線をなす面同士が接し、Ｒをなす面が表面に露出させる。
最も明度の高い色材と最も明度の低い色材との表面への露出部分の断面における曲率が異なるものであればよく、３色以上の色材を組み合わせる場合、２色の曲率は同じでもよい。
【０００７】
前記色材の数は、二つ以上であればよいが、２ないし４色程度が適当と考えられる。
前記複数の色材の色は、明度が異なるもの（濃淡の差があるもの）であれば、同じ色相（同系色）でも異なる色相でもよい。例えば赤色と青色を配置しても支障はない。
【０００８】
芯材の断面形状は、扇形状、多角形状、楕円形状など、任意に選択することができるが、いずれも各色材の露出面は異なる曲率とする。色材ごとに曲率が異なることにより、色材ごとに肌面との接触面積が異なることとなり、眉毛の部位に応じた適切な色、描き方で化粧を行うことが可能となる。
なお、ここで「断面」とは、軸に直角な面における断面をいう。
【０００９】
一般に、明度の高い色材は太い線で描き、明度の低い色材は細い線で描くことが多い。そこで、各色材における表面への露出部分の断面における曲率は、明度の高いものから低いものへ、順次大きくすることにより、このような事情に対応することができるが（請求項２）、使用目的に応じて、逆に、曲率を明度の低いものから高いものへ、順次大きくすることもできる。  
【００１０】
一般に、明度の高い色材は太い線で描き、明度の低い色材は細い線で描くことが多いので、明度の高い色材は使用量が多く、明度の低い色材は使用量が少ない。そこで、芯材における断面積は、最も明度の高い色材の断面積を最も明度の低い色材の断面積よりも大きくすることにより、このような事情に対応することができるが（請求項３）、使用目的に応じて、逆に、断面積を明度の低いものから高いものへ、順次小さくすることもできる。最も明度の高い色材の断面積が最も明度の低い色材の断面積よりも大きければよく、３色以上の色材を組み合わせる場合、２色の断面積は同じでもよい。
【００１１】
請求項４の発明は、複数の色材の硬度が異なるものとしたものであり、色材の明度に適した硬度を選択することにより、眉毛の部位に応じた適切な色、描き方で化粧を行うことが可能となる。
【発明の効果】
【００１２】
この発明に係る眉描き用芯材は、一般的には、アイブロウペンシルに装着して使用する。この発明の芯材は異なる複数色の色材を１本に層をなして配置してあるので、この芯材を用いることで、１本のアイブロウペンシルのみで、アイブロウペンシルを持ち換える煩わしさもなく、複数の色彩で眉を化粧することができる。
【図面の簡単な説明】
【００１３】
【図１】この発明実施例１の芯材の断面図である。
【図２】この発明の芯材を装着したアイブロウペンシルの斜視図である。
【図３】眉毛の説明図である。
【図４】この発明の芯材の別の断面形状の例を示す図である。
【図５】この発明の芯材の別の断面形状の例を示す図である。
【図６】この発明の芯材の別の断面形状の例を示す図である。
【図７】この発明の芯材の別の断面形状の例を示す図である。
【図８】この発明の芯材の別の断面形状の例を示す図である。
【図９】この発明の芯材の別の断面形状の例を示す図である。
【発明を実施するための形態】
【実施例１】
【００１４】
以下、色材を２色とした実施例１について説明する。
図１は芯材１の断面図、図２は実施例１の眉描き用芯材を装着した眉描き用化粧具の斜
視図である。
【００１５】
芯材１の断面は、図１に示すように略扇形状であり、扇形のかなめ部である突部１ａ及び反対側の湾曲面１ｂはＲをなし、突部１ａを通る中線Ｌ１を中心に左右対称形としてある。そして、前記中線Ｌ１に対して傾斜する直線から成る境界線Ｌ２を挟み、色が異なる（色相が同じで明度が異なる）第１の色材２と第２の色材３が軸方向に層をなして配置されている。境界線Ｌ２は、芯材1が肌面に接して左右に摺動する方向に平行であることが好ましい。
【００１６】
前記境界線Ｌ２の突部１ａ側には第１の色材２が、反対側の幅広側には第２の色材３が配置してある。第１の色材２は第２の色材３よりも明度が低い。例えば、第１の色材２を濃い茶色とし、第２の色材３を薄い茶色とする。そこで、第１の色材の露出部である突部１ａのＲ（Ｒ１）は、第２の色材の露出部である湾曲面１ｂのＲよりも曲率が大きくしてある。
この曲率の違いにより、明度の高い色材３は肌への接触面積が大きくなるので、太く描くことができ、明度の低い色材である色材２は肌への接触面積が小さくなるので、細く描くことができる。
【００１７】
前記両色材は、断面積において、第１の色材２の面積が第２の色材３の面積よりも大きくしてある。
この断面積の違いにより、比較的使用量の多い明度の高い色材３と、比較的使用量の少ない明度の低い色材２との使用量の違いに対応することができ、芯の減り方のバランスを取ることができる。
なお、面積の比率は色材の組合せにより適宜選択する。
【００１８】
更に、第１の色材２及び第２の色材３は共に化粧品特有の粘りがあり柔らかではあるが、第１の色材２は第２の色材３よりも硬質であることが、使用個所の適性に合致することになり好ましい。
【００１９】
前記芯材１は図２に示すアイブロウペンシル１０に装着して使用する。
図３に示すように、眉元Ａｆ側を着色する場合には、露出面のＲの曲率が小さく肌面との接触面積の多い第２の色材３を用いて眉元Ａｆを描く。また、眉尻Ａｅ側を着色する場合には、露出面のＲの曲率が大きく肌面との接触面積の少ない第１の色材２の突部１ａを用いて、線を引くようして眉尻Ａｅを描く。
そして、仕上げとしてブラシを用いて、塗布された第１の色材２及び第２の色材３による色むらを平滑化させて自然となるように眉毛を整える。
【００２０】
このように、この発明に係る眉描き用芯材を用いることで、眉元Ａｆには幅広で色が薄く軟質の第２の色材３を使用し、眉尻Ａｅに対しては、色が濃く硬質の第１の色材２の突部１ａを使用することにより、効果的な着色ができる。
【実施例２】
【００２１】
図４ないし図９は、この発明の芯材の種々の断面形状を示すものである。
【００２２】
図４の（１）ないし（３）は、実施例１と同じく芯材を断面扇形状とし、大小３つのＲ部分Ｒ１ないしＲ３を形成し、３色の色材の層Ｃ１ないしＣ３を設けたものである。（１）および（３）においては、色材の層Ｃ２とＣ３の境界にＲが存在するので、混色することができる。
【００２３】
図５は一つのＲ（Ｒ１）を円弧としたもので、（１）はＲ２，Ｒ３を加えた３つのＲと３色の色材の層Ｃ１ないしＣ３を設けたものであり、（２）はふたつのＲと２色の色材の層を設けたものである。
【００２４】
図６は断面正方形を基調としたもので、（１）はＲ１とＲ２の大小二つのＲとＣ１，Ｃ２の２層の色材の層を備え、（２）は大小４つのＲ（Ｒ１ないしＲ４）と３つの色材の層Ｃ１ないしＣ３を備え、（３）は大小４つのＲ（Ｒ１ないしＲ４）と４つの色材の層Ｃ１ないしＣ４を備えたものである。
【００２５】
図７は断面五角形を基調としたもので、（１）は大小５つのＲ（Ｒ１ないしＲ５）とＣ１，Ｃ２の２層の色材の層を備えたものである。色材Ｃ１，Ｃ２ともに二つのＲを備えており、状況に応じてＲを使い分けることができる。またＲ５は二つの色材の境界にあるので、混色することができる。（２）は大小５つのＲ（Ｒ１ないしＲ５）と３つの色材の層Ｃ１ないしＣ３を備え、二つの色材の境界にあるＲ４，Ｒ５では混色することができる。（３）は大小５つのＲ（Ｒ１ないしＲ５）と５つの色材の層Ｃ１ないしＣ５を備えたものである。
【００２６】
図８は断面六角形を基調としたもので、（１）は大小６つのＲ（Ｒ１ないしＲ６）とＣ１，Ｃ２の２層の色材の層を備えたものであり、（２）は大小６つのＲ（Ｒ１ないしＲ６）と３つの色材の層Ｃ１ないしＣ３を備えたものであり、（３）は大小６つのＲ（Ｒ１ないしＲ６）と６つの色材の層Ｃ１ないしＣ６を備えたものである。
【００２７】
図９（１）は断面三角形を基調としたもので、大小３つのＲ（Ｒ１ないしＲ３）とＣ１，Ｃ２の２層の色材の層を備えたものである。（２）は曲玉状であり、大小３つのＲ（Ｒ１ないしＲ３）と３つの色材の層Ｃ１ないしＣ３を備えたものである。
【産業上の利用可能性】
【００２８】
この発明は、１本の芯材をアイブロウペンシルに装着することによって、複数の色彩で眉に化粧を施すことができるものであり、産業上の利用可能性を有するものである。
【符号の説明】
【００２９】
１ 芯材
１ａ  突部
１ｂ  円弧面
２   第１の色材
３   第２の色材
１０  アイブロウペンシル
Ｌ２  境界線
【要約】
【課題】  この発明は、１本のアイブロウペンシルで複数の色彩を描き分けることを可能
にすることを課題とするものである。
【解決手段】この発明の眉描き用芯材は、軸方向に連続する複数の色材の層１ａ、１ｂを
備え、各色材の層は表面に露出させ、前記複数の色材は明度の異なるものとし、最も明度
の高い色材と最も明度の低い色材との表面への露出部分の断面における曲率が異なるもの
として構成する。
最も明度の高い色材と最も明度の低い色材との表面への露出部分の断面における曲率が
異なるものであればよく、３色以上の色材を組み合わせる場合、２色の曲率は同じでもよ
い。
【選択図】  図１【図１】
0006817651.tif 000002
【図２】
0006817651.tif 000003
【図３】
0006817651.tif 000004
【図４】
0006817651.tif 000005
【図５】
0006817651.tif 000006
【図６】
0006817651.tif 000007
【図７】
0006817651.tif 000008
【図８】
0006817651.tif 000009
【図９】
0006817651.tif 000010